(57)【要約】【課題】簡単な構造で家屋の十分な換気を行うことができる換気棟構造を提供すること。【解決手段】屋内と屋外とを仕切る野地板１１の棟部に設けられた換気スリット１２と、換気スリット１２の上方に配置されると共に、上下通流孔３２が形成された垂木３０と、垂木３０の側面側から桟瓦１４の上面に渡って設けられた防水面戸６０と、垂木３０及び面戸部材６０を覆うと共に、垂木３０との間に所定の隙間を有した状態で支持される冠瓦７０と、換気スリット１２に跨って配置され、換気スリット１２の上方から滴下する水を野地板１１上側に排水する共に、換気スリット１２側と垂木３０の下面側との空気の流通を図る換気部４２が設けられた水切り部材４０とを備えている。【選択図】      図２
2007327319.tif 000002
【特許請求の範囲】
【請求項１】
屋内と屋外との間で空気の流通を図る換気棟構造において、
上記屋内と上記屋外とを仕切ると共に桟瓦が配列された野地板と、
上記野地板の棟部に設けられた換気スリットと、
上記野地板に取り付けられた垂木支持部材により上記換気スリットの上方に配置されると共に、その上下方向に空気を流通させる空気流通部が形成された垂木と、
上記垂木の側面側から上記桟瓦の上面に渡って設けられた面戸部材と、
上記垂木及び上記面戸部材を覆うと共に、上記垂木との間に所定の隙間を有した状態で支持される冠瓦と、
上記換気スリットに跨って配置され、上記換気スリットの上方から滴下する水を上記野地板上側に排水する共に、上記換気スリット側と上記垂木の下面側との空気の流通を図る換気部が設けられた水切り部材とを備えていることを特徴とする換気棟構造。
【請求項２】
上記垂木には、水平方向に空気を通流させる空気流通部を備えていることを特徴とする請求項１に記載の換気棟構造。
【請求項３】
上記桟瓦は、上記野地板に桟木を介して取り付けられており、上記桟木には上記野地板と上記桟瓦との間の空間と、上記垂木の下部との間を連通する通風孔が設けられていることを特徴とする請求項１に記載の換気棟構造。
【請求項４】
屋内と屋外との間で空気の流通を図る換気棟構造において、
上記屋内と上記屋外とを仕切ると共に桟瓦が配列された野地板と、
上記野地板の棟部に設けられた換気スリットと、
上記野地板に取り付けられた垂木支持部材により上記換気スリットの上方に配置される垂木と、
この垂木の上部に取り付けられ、少なくとも上記垂木の水平方向に空気を流通させる通風部材と、
上記垂木の側面側から上記桟瓦の上面に渡って設けられた面戸部材と
上記垂木及び上記面戸部材を覆うと共に、上記垂木との間に所定の隙間を有した状態で支持される冠瓦と、
上記換気スリットに跨って配置され、上記換気スリットの上方から滴下する水を上記野地板上側に排水する共に、上記換気スリット側と上記垂木の下面側との空気の流通を図る換気部が設けられた水切り部材とを備えていることを特徴とする換気棟構造。
【請求項５】
屋内と屋外との間で空気の流通を図る換気棟構造において、
上記屋内と上記屋外とを仕切ると共に桟瓦が配列された野地板と、
この野地板の棟部に設けられた換気スリットと、
上記野地板に取り付けられた垂木支持部材により上記換気スリットの上方に配置される垂木と、
この垂木の側面から上記桟瓦の上面に渡って設けられた面戸部材と、
上記垂木及び上記面戸部材を覆うと共に、上記垂木との間に所定の隙間を有した状態で支持される冠瓦と、
上記垂木を覆うと共に、上記垂木と上記冠瓦との間に設けられ、少なくとも上記垂木の水平方向に空気を流通させると共に、上方から滴下する水滴を上記面戸部材に排水する垂木カバーと、
上記換気スリットに跨って配置され、上記換気スリットの上方から滴下する水を上記野地板側に排水すると共に、上記換気スリット側と上記垂木の下面側との空気の流通を図る換気部が設けられた水切り部材とを備えていることを特徴とする換気棟構造。
【請求項６】
上記垂木カバーは、防水性又は透湿性材料にて形成されたカバーシート及び空気の流通が可能な網状帯を積層して形成されていることを特徴とする請求項５記載の換気棟構造。
【発明の詳細な説明】
【技術分野】
【０００１】
本発明は、家屋の大棟等の棟部における換気棟構造に関し、特に換気効率を向上させることができるものに関する。
【背景技術】
【０００２】
家屋の棟部においては、雨水が家屋内に浸入するのを防止するため、土、なんばん、しっくい等を用いて隅瓦と垂木との隙間を固める湿式工法が従来より用いられていた。しかしながら、湿式工法では、屋内の換気を行うことが困難であるため、近年では、換気機能を有する棟構造が採用されつつある（例えば、特許文献１，２参照）。
【０００３】
図３４は、このような換気機能を有する棟構造の一例を示す図である。屋根の基本構成となる野地板２００の棟部２０１に換気スリット２０２が形成されている。この換気スリット２０２に跨るようにして棟金具２０３が設けられ、この棟金具２０３により水平方向に配置された垂木２０４が支持されている。垂木２０４の上側から冠瓦２０３により覆われている。また、野地板２００上には、桟木２１０が取り付けられ、この桟木２１０に桟瓦２１１が取り付けられている。
【特許文献１】特許２９０１１８０号明細書
【特許文献２】特許３５８３１１１号明細書
【発明の開示】
【発明が解決しようとする課題】
【０００４】
上述した換気機能を有する棟構造には、次のような問題があった。すなわち、屋内から屋外への換気経路Ｐが複雑で十分な換気を行うことができなかった。また、金具類を多用した複雑な構造であるため、コストが高くなるという問題もあった。さらに、隅棟に換気通路を形成すると十分に防水することができないため、換気機能を付けることが難しかった。
【０００５】
そこで、本発明は、簡単な構造で家屋の十分な換気を行うことができる換気棟構造を提供することを目的としている。
【課題を解決するための手段】
【０００６】
前記課題を解決し目的を達成するために、本発明の換気棟構造は次のように構成されている。
【０００７】
（１）屋内と屋外との間で空気の流通を図る換気棟構造において、上記屋内と上記屋外とを仕切ると共に桟瓦が配列された野地板と、上記野地板の棟部に設けられた換気スリットと、上記野地板に取り付けられた垂木支持部材により上記換気スリットの上方に配置されると共に、その上下方向に空気を流通させる空気流通部が形成された垂木と、上記垂木の側面側から上記桟瓦の上面に渡って設けられた面戸部材と、上記垂木及び上記面戸部材を覆うと共に、上記垂木との間に所定の隙間を有した状態で支持される冠瓦と、上記換気スリットに跨って配置され、上記換気スリットの上方から滴下する水を上記野地板上側に排水する共に、上記換気スリット側と上記垂木の下面側との空気の流通を図る換気部が設けられた水切り部材とを備えていることを特徴とする。
【０００８】
（２）前記（１）に記載された換気棟構造であって、上記垂木には、水平方向に空気を通流させる空気流通部を備えていることを特徴とする。
【０００９】
（３）前記（１）に記載された換気棟構造であって、上記桟瓦は、上記野地板に桟木を介して取り付けられており、上記桟木には上記野地板と上記桟瓦との間の空間と、上記垂木の下部との間を連通する通風孔が設けられていることを特徴とする。
【００１０】
（４）屋内と屋外との間で空気の流通を図る換気棟構造において、上記屋内と上記屋外とを仕切ると共に桟瓦が配列された野地板と、上記野地板の棟部に設けられた換気スリットと、上記野地板に取り付けられた垂木支持部材により上記換気スリットの上方に配置される垂木と、この垂木の上部に取り付けられ、少なくとも上記垂木の水平方向に空気を流通させる通風部材と、上記垂木の側面側から上記桟瓦の上面に渡って設けられた面戸部材と
上記垂木及び上記面戸部材を覆うと共に、上記垂木との間に所定の隙間を有した状態で支持される冠瓦と、上記換気スリットに跨って配置され、上記換気スリットの上方から滴下する水を上記野地板上側に排水する共に、上記換気スリット側と上記垂木の下面側との空気の流通を図る換気部が設けられた水切り部材とを備えていることを特徴とする。
【００１１】
（５）屋内と屋外との間で空気の流通を図る換気棟構造において、上記屋内と上記屋外とを仕切ると共に桟瓦が配列された野地板と、この野地板の棟部に設けられた換気スリットと、上記野地板に取り付けられた垂木支持部材により上記換気スリットの上方に配置される垂木と、この垂木の側面から上記桟瓦の上面に渡って設けられた面戸部材と、上記垂木及び上記面戸部材を覆うと共に、上記垂木との間に所定の隙間を有した状態で支持される冠瓦と、上記垂木を覆うと共に、上記垂木と上記冠瓦との間に設けられ、少なくとも上記垂木の水平方向に空気を流通させると共に、上方から滴下する水滴を上記面戸部材に排水する垂木カバーと、上記換気スリットに跨って配置され、上記換気スリットの上方から滴下する水を上記野地板側に排水すると共に、上記換気スリット側と上記垂木の下面側との空気の流通を図る換気部が設けられた水切り部材とを備えていることを特徴とする。
【００１２】
（６）前記（５）に記載された換気棟構造であって、上記垂木カバーは、防水性又は透湿性材料にて形成されたカバーシート及び空気の流通が可能な網状帯を積層して形成されていることを特徴とする。
【発明の効果】
【００１３】
本発明によれば、簡単な構造で家屋の十分な換気を行うことが可能となる。
【発明を実施するための最良の形態】
【００１４】
図１は本発明の第１の実施の形態に係る換気棟構造が適用された大棟１０を示す断面図、図２は要部を拡大して示す断面図である。なお、以下の説明において、同一機能部分には同一符号を付している。
【００１５】
図１に示すように、換気棟構造を有する大棟１０は、屋内と屋外とを仕切る一対の野地板１１，１１により形成されている。一対の野地板１１，１１は、換気スリット１２を空けて対向配置されている。野地板１１，１１の上部には、水平方向に配置された複数の桟木１３が設けられており、これら桟木１３に桟瓦１４が支持されている。桟木１３には、通風孔１３ａが設けられている。
【００１６】
換気スリット１２に跨って複数の垂木支持金具２０が所定間隔で配置されており、これら複数の垂木支持金具２０に渡って垂木３０が取り付けられている。また、換気スリット１２に跨って水切り板４０が配置されている。垂木３０の上部には適当な間隔を空けて、防水板５０が配置されている。さらに、垂木３０の側面から桟瓦１４の上部にかけて防水面戸６０が取り付けられている。また、防水板５０上には冠瓦７０が載置されている。
【００１７】
垂木３０は、例えば、図３及び図４に示すように、断面矩形状に形成された垂木本体３１と、この垂木本体３１の両側面に形成された上下通流孔３２と、垂木本体３１の上面に形成された水平通流孔３３とを備えている。上下通流孔３２は垂木３０の下部の空気を上部へ流す機能を有しており、水平通流孔３３は垂木３０の側方の空気を反対側へ流す機能を有している。
【００１８】
なお、図５及び図６に示すように、上下通流孔３２に代わりに、上下通流溝３４を形成するようにしても同様の効果が得られる。また、図７及び図８に示すように、垂木本体３１に直接上下通流孔３５及び水平通流孔３６を設けるようにしても同様の効果が得られる。
【００１９】
水切り板４０は、例えば、図９に示すように、上方から滴下した水を側方、すなわち野地板１１，１１上面へ排水する形状を有する屋根型の板材４１と、この板材４１の側面に設けられ、換気スリット１２と垂木３０側とを連通する換気部４２とを備えている。
【００２０】
なお、図１０に示すように、換気部４２の代わりに換気孔４３を設けた水切り板４０Ａであっても同様の効果が得られる。さらに、図１１に示すように、水平方向に換気を行う換気部４２の代わりに上下方向に換気を行う換気部４４を設けた水切り板４０Ｂであっても同様の効果が得られる。
【００２１】
また、図１２に示す水切り板４０Ｃのように、屋根型の板材４５と、この板材４５の先端側に設けられ、鉛直方向への仕切板から構成された一対の換気部４６とを備えるようにしてもよい。このとき、換気部４６の鉛直方向の寸法をｈ、換気スリット１２の水平方向の寸法（図１参照）を２ｄとしたときに、ｈがｄ以上となることが好ましい。すなわち、このような寸法とすることで、十分な換気を行うことができるとともに、換気スリット１２から雨水が滴下することを防止することができる。
【００２２】
また、図１３に示す水切り板４０Ｄのように、上方から滴下した水を側方、すなわち野地板１１，１１上面へ排水する形状を有する屋根型の板材４１と、この板材４１の側面に設けられ、換気スリット１２と垂木３０側とを連通する換気部４７とを備えている。このとき、換気部４７の鉛直方向の寸法をｈ、換気スリット１２の水平方向の寸法を２ｄとしたときに、ｈがｄ以上となることが好ましい。すなわち、このような寸法とすることで、十分な換気を行うことができるとともに、換気スリット１２から雨水が滴下することを防止することができる。
【００２３】
防水板５０は、例えば、図１２に示すように、上方から滴下した水を桟瓦１４の上部へ排水し、垂木３０には流れ込まないようにする機能を有している。なお、図１３に示すような形状を有する防水板５０Ａであっても同様の効果を得ることができる。
【００２４】
防水面戸６０は、例えば図１４に示すように、垂木３０の側面に沿って配置される第１部位６１と、桟瓦１４の上面に沿って配置される第２部位６２とを備えており、側方から吹き込む雨水が屋内に浸入するのを防止する機能を有している。なお、図１５に示すように、柔軟な部材からなる第２部位６３を有する防水面戸６０Ａであっても同様の効果を得ることができる。
【００２５】
このように構成された大棟１０においては、屋内の空気が換気スリット１２から水切り板４０の換気部４２を通って垂木３０の下方に達する。そして、上下通流孔３２を通って垂木３０の上方に抜ける。そして、防水板５０の下面側から、屋外に抜けることとなる。なお、水切り板４０や防水面戸６０により、屋内へ雨水が流れ込むことは無い。したがって、止水効果等の基本的な機能を維持しつつ、屋内の空気が屋外へ抜ける換気経路Ｑを単純化することができ、換気効率を向上させることができる。
【００２６】
なお、大棟の他、隅棟や降り棟に適用しても止水効果を損なうことがないので、換気効率をさらに向上させることができる。また、垂木３０自体に空気通流機能を持たせたため、金具類を多用した複雑な構造を持つものに比べ、低コストとなるという利点もある。
【００２７】
一方、垂木３０は水平方向にも空気を通流する機能を有しているため、図２に示すように、風による空気の流れと風圧を利用して、大棟１０の風下側を低圧部とすることで、排気能力を向上させ、垂木３０上に滞留する空気を外部へ効率よく流すことができる。
【００２８】
また、桟木１３には通風孔１３ａが設けられているため、桟瓦１４と野地板１１との間の空気を換気経路Ｒに示すように屋外に排出することも可能となる。
【００２９】
上述したように、本発明の一実施の形態に係る換気棟構造が適用された大棟１０においては、簡単な構造で家屋の十分な換気を行うことが可能となり、施工に伴うコストも低減することができる。
【００３０】
図１８は本発明の第２の実施の形態に係る換気棟構造が適用された大棟１０Ａを示す断面図、図１９は同換気棟構造に組み込まれた通風部材９０Ａを示す斜視図である。なお、これらの図において、図１〜図２と同一機能部分には同一符号を付し、その詳細な説明は省略する。
【００３１】
図１８に示すように、換気棟構造を有する大棟１０Ａは、屋内と屋外とを仕切る一対の野地板１１，１１により形成されている。換気スリット１２に跨って複数の垂木支持金具２０が所定間隔で配置されており、これら複数の垂木支持金具２０に渡って垂木８０が取り付けられている。垂木８０の上部にはパンチングメタルで形成された通風部材９０Ａが被せられ、この通風部材９０Ａ上に防水板５０が配置されている。
【００３２】
通風部材９０Ａは、図１９に示すように、垂木８０の上面に載置される板状の部材本体９１ａと、この部材本体９１ａの左右縁から下方へ延びる鉛直板９１ｂと、この鉛直板９１ｂの先端から垂木支持金具２０側へ折曲された水平方向に延びる折曲部９１ｃとを備えている。したがって、通風部材９０Ａは、垂木８０の下部の空気を上部へ流す機能と、垂木８０の側方の空気を反対側へ流す機能を有している。
【００３３】
本第２の実施の形態に係る大棟１０Ａにおいては、屋内の空気が換気スリット１２から水切り板４０の換気部４２を通って垂木８０の下方に達する。そして、通風部材９０Ａに設けられた孔Ｈを通って通風部材９０Ａの上方に抜ける。そして、防水板５０の下面側から、屋外に抜けることとなる。なお、水切り板４０や防水面戸６０により、屋内へ雨水が流れ込むことは無い。したがって、上述した大棟１０と同様に、止水効果等の基本的な機能を維持しつつ、屋内の空気が屋外へ抜ける換気経路Ｑを単純化することができ、換気効率を向上させることができる。
【００３４】
図２０は本発明の第３の実施の形態に係る換気棟構造が適用された大棟１０Ｂを示す断面図、図２１は同換気棟構造に組み込まれた通風部材９０Ｂを示す斜視図である。なお、図２０において、図１８と同一機能部分には同一符号を付し、その詳細な説明は省略する。
【００３５】
垂木８０の上部にはパンチングメタルで形成された通風部材９０Ｂが被せられ、この通風部材９０Ｂ上に防水板５０が配置されている。
【００３６】
通風部材９０Ｂは、図２１に示すように、垂木８０の上面に載置される板状の部材本体９２ａと、この部材本体９２ａの左右縁から下方へ延び、その先端が垂木支持金具２０側へ当接する断面半円形状の側板９２ｂとを備えている。したがって、通風部材９０Ｂは、垂木８０の下部の空気を上部へ流す機能と、垂木８０の側方の空気を反対側へ流す機能を有している。
【００３７】
本第３の実施の形態に係る大棟１０Ｂにおいても、屋内の空気が垂木８０の下方に達した後、通風部材９０Ｂに設けられた孔Ｈを通って通風部材９０Ｂの上方に抜け、屋外に抜けることとなる。したがって、上述した大棟１０Ａと同様に、換気効率を向上させることができる。
【００３８】
図２２は本発明の第４の実施の形態に係る換気棟構造が適用された大棟１０Ｃを示す断面図、図２３は同換気棟構造に組み込まれた通風部材９０Ｃを示す斜視図である。なお、図２２において、図１８と同一機能部分には同一符号を付し、その詳細な説明は省略する。
【００３９】
垂木８０の上部にはパンチングメタルで形成された通風部材９０Ｃが被せられ、この通風部材９０Ｃ上に防水板５０が配置されている。
【００４０】
通風部材９０Ｃは、図２３に示すように、垂木８０の上面に載置される円筒部材９３を備えている。したがって、通風部材９０Ｃは、垂木８０の側方の空気を反対側へ流す機能を有している。
【００４１】
本第４の実施の形態に係る大棟１０Ｃにおいても、屋内の空気が垂木８０の下方に達した後、通風部材９０Ｃに設けられた孔Ｈを通って通風部材９０Ｃの上方に抜け、屋外に抜けることとなる。したがって、上述した大棟１０Ａと同様に、換気効率を向上させることができる。
【００４２】
図２４は本発明の第５の実施の形態に係る換気棟構造が適用された大棟１０Ｄを示す断面図、図２５は同換気棟構造に組み込まれた通風部材９０Ｄを示す斜視図である。なお、図２４において、図１８と同一機能部分には同一符号を付し、その詳細な説明は省略する。
【００４３】
垂木８０の上部にはパンチングメタルで形成された通風部材９０Ｄが被せられ、この通風部材９０Ｄ上に防水板５０が配置されている。
【００４４】
通風部材９０Ｄは、図２１に示すように、垂木８０の上面に載置される断面長方形状の部材本体９４を備えている。したがって、通風部材９０Ｄは、垂木８０の側方の空気を反対側へ流す機能を有している。
【００４５】
本第５の実施の形態に係る大棟１０Ｄにおいても、屋内の空気が垂木８０の下方に達した後、通風部材９０Ｄに設けられた孔Ｈを通って通風部材９０Ｄの上方に抜け、屋外に抜けることとなる。したがって、上述した大棟１０Ａと同様に、換気効率を向上させることができる。
【００４６】
図２６は本発明の第６の実施の形態に係る換気棟構造が適用された大棟１０Ｅを示す断面図、図２７は同換気棟構造に組み込まれた通風部材９０Ｅを示す斜視図である。なお、図２６において、図１８と同一機能部分には同一符号を付し、その詳細な説明は省略する。
【００４７】
垂木８０の上端角部にはパンチングメタルで形成された一対の通風部材９０Ｅが取り付けられ、これら一対の通風部材９０Ｅ上に防水板５０が配置されている。
【００４８】
通風部材９０Ｅは、図２７に示すように、垂木８０の上面に平行に配置された板状の部材本体９５ａと、この部材本体９５ａの一方の縁から下方へ延び、その先端が垂木８０の上面に当接する側板９５ｂと、部材本体９５ａの他方の縁から下方へ延びる側板９５ｃと、この側板９５ｃの先端から垂木支持金具２０側へ折曲された水平方向に延びる折曲部９５ｄとを備えている。したがって、一対の通風部材９０Ｅは、垂木８０の下部の空気を上部へ流す機能と、垂木８０の側方の空気を反対側へ流す機能を有している。
【００４９】
本第６の実施の形態に係る大棟１０Ｅにおいても、屋内の空気が垂木８０の下方に達した後、通風部材９０Ｅに設けられた孔Ｈを通って通風部材９０Ｅの上方に抜け、屋外に抜けることとなる。したがって、上述した大棟１０Ａと同様に、換気効率を向上させることができる。
【００５０】
図２８は第７の実施の形態に係る換気棟構造が適用された大棟１０Ｆを示す断面図、図２９は同換気棟構造に組み込まれた垂木カバー１００を示す斜視図、図３０は同垂木カバー１００の側面図である。なお、図２８において、図１、図２及び図１８と同一機能部分には同一符号を付し、その詳細な説明は省略する。
【００５１】
垂木８０の上面には、垂木８０及び防水面戸６０の一部を覆うように垂木カバー１００が設けられている。図２９及び図３０に示すように、垂木カバー１００は、透湿孔１０１ａを有するプラスチック材製の外表カバー１０１と、外表カバー１０１の内面に設けられ、防水性、かつ、透湿性の性質を有する透湿シート１０２と、この透湿シート１０２の内面に設けられた網状帯１０３とを積層し、断面が略楕円形となるように曲成されている。なお、透湿シート１０２は、外表カバー１０１の内面の下方は覆わず、空気の流れを確保している。
【００５２】
本第７の実施の形態に係る大棟１０Ｆにおいても、屋内の空気が垂木８０の下方に達した後、垂木カバー１００へ空気が流れ、垂木カバー１００内側から網状帯１０３、防水面戸６０外表面と通り屋外に抜けることとなる。したがって、上述した大棟１０Ａと同様に、換気効率を向上させることができる。さらに、垂木８０内に篭った湿気等は透湿シート１０２を通って透湿孔１０１ａから屋外へ逃がすと共に、冠瓦７０から漏れてくる例えば雨水等（漏水）や、風等により吹き付けられる雨水等を垂木８０へと通さず、換気効率の向上及び、雨水等の侵入を防ぐことができる。
【００５３】
また、網状帯１０３を用いることにより、換気効率は維持したまま、屋外からの例えば枯葉等が垂木８０へ侵入することを防ぐことができる。さらに、高湿による結露が発生しても、網状に結露させ、網状を伝わり防水面戸６０に排出しやすいような形状としているため、垂木８０に結露が滴下することを極力避けることが可能である。
【００５４】
図３１は第８の実施の形態に係る換気棟構造が適用された大棟１０Ｇを示す断面図、図３２は同換気棟構造に組み込まれた垂木カバー１１０を示す斜視図、図３３は同垂木カバー１１０の側面図である。なお、図３１において、図１、図２及び図１８、図２８と同一機能部分には同一符号を付し、その詳細な説明は省略する。
【００５５】
垂木８０の上面には、垂木８０及び防水面戸６０の一部を覆うように垂木カバー１１０が設けられている。図３２及び図３３に示すように、垂木カバー１１０は、上面は平坦部１１１ａと傾斜部１１１ｂとで形成され、対向する側面は櫛形状１１１ｃに形成され透湿孔１１１ｄを有する断面コの字状のプラスチック材製の外表カバー１１１と、外表カバー１１１の内面に設けられ、例えば防水性、かつ、透湿性の性質を有する紙等で形成された透湿シート１１２と、透湿シート１１２の内面に設けられた網状帯１１３とで構成されている。
【００５６】
本第８の実施の形態に係る大棟１０Ｇにおいても、屋内の空気が垂木８０の下方に達した後、垂木カバー８０の上面へ空気を流し、垂木カバー１１０の上面から網状帯１１３、防水面戸６０外表面を通り屋外に抜けることとなる。したがって、上述した大棟１０Ｆと同様に、換気効率を向上させることができる。さらに、垂木８０内に篭った湿気等は透湿シート１１２を通って透湿孔１１１ｄから屋外へ逃がすと共に、冠瓦７０から漏れてくる例えば漏水や、風等により吹き付けられる雨水等を垂木８０へと通さず、換気効率の向上及び、雨水等の侵入を防ぐことができる。また、垂木カバー１１０の上面の形状が平坦部１１１ａと傾斜部１１１ｂを有しているため、冠瓦７０からの漏水の排出を効率よく行うことが可能となる。
【００５７】
さらに、網状帯１１３を用いることにより、換気効率は維持したまま、屋外からの例えば枯葉等が垂木８０へ侵入することを防ぐことができる。また、高湿による結露が発生しても、網状に結露させ、網状を伝わり防水面戸６０に排出しやすいような形状としているため、垂木８０に結露が滴下することを極力避けることが可能である。
【００５８】
なお、本発明は前記実施の形態に限定されるものではなく、本発明の要旨を逸脱しない範囲で種々変形実施可能であるのは勿論である。
【図面の簡単な説明】
【００５９】
【図１】本発明の第１の実施の形態に係る換気棟構造が適用された大棟を示す断面図。
【図２】同大棟の要部を拡大して示す断面図。
【図３】同大棟に用いられる垂木を示す斜視図。
【図４】同垂木を示す断面図。
【図５】同大棟に用いられる垂木の変形例を示す斜視図。
【図６】同垂木を示す断面図。
【図７】同大棟に用いられる垂木の変形例を示す斜視図。
【図８】同垂木を示す断面図。
【図９】同大棟に用いられる水切り板を示す斜視図。
【図１０】同水切り板の変形例を示す斜視図。
【図１１】同水切り板の変形例を示す斜視図。
【図１２】同水切り板の変形例を示す斜視図。
【図１３】同水切り板の変形例を示す斜視図。
【図１４】同大棟に用いられる防水笠を示す斜視図。
【図１５】同大棟に用いられる防水笠の変形例を示す斜視図。
【図１６】同大棟に用いられる防水面戸を示す斜視図。
【図１７】同大棟に用いられる防水面戸の変形例を示す斜視図。
【図１８】本発明の第２の実施の形態に係る換気棟構造が適用された大棟を示す断面図。
【図１９】同換気棟構造に組み込まれた通風部材を示す斜視図。
【図２０】本発明の第３の実施の形態に係る換気棟構造が適用された大棟を示す断面図。
【図２１】同換気棟構造に組み込まれた通風部材を示す斜視図。
【図２２】本発明の第４の実施の形態に係る換気棟構造が適用された大棟を示す断面図。
【図２３】同換気棟構造に組み込まれた通風部材を示す斜視図。
【図２４】本発明の第５の実施の形態に係る換気棟構造が適用された大棟を示す断面図。
【図２５】同換気棟構造に組み込まれた通風部材を示す斜視図。
【図２６】本発明の第６の実施の形態に係る換気棟構造が適用された大棟を示す断面図。
【図２７】同換気棟構造に組み込まれた通風部材を示す斜視図。
【図２８】本発明の第７の実施の形態に係る換気棟構造が適用された大棟を示す断面図。
【図２９】同換気棟構造に組み込まれた垂木カバーを示す斜視図。
【図３０】同垂木カバーを示す側面図。
【図３１】本発明の第８の実施の形態に係る換気棟構造が適用された大棟を示す断面図。
【図３２】同換気棟構造に組み込まれた垂木カバーを示す斜視図。
【図３３】同垂木カバーを示す側面図。
【図３４】大棟の一例を示す断面図。
【符号の説明】
【００６０】
１０，１０Ａ〜１０Ｇ…大棟、１１…野地板、１２…換気スリット、２０…垂木支持金具、３０、３０Ａ、３０Ｂ…垂木、３１…垂木本体、３２，３５…上下通流孔、３６…水平通流孔、３４…上下通流溝、４０，４０Ａ〜４０Ｄ…水切り板、４２…換気部、５０、５０Ａ…防水板、６０、６０Ａ…防水面戸、７０…冠瓦、８０…垂木、９０Ａ〜９０Ｅ…通風部材、１００，１１０…垂木カバー。
【図１】
2007327319.tif 000003
【図２】
2007327319.tif 000004
【図３】
2007327319.tif 000005
【図４】
2007327319.tif 000006
【図５】
2007327319.tif 000007
【図６】
2007327319.tif 000008
【図７】
2007327319.tif 000009
【図８】
2007327319.tif 000010
【図９】
2007327319.tif 000011
【図１０】
2007327319.tif 000012
【図１１】
2007327319.tif 000013
【図１２】
2007327319.tif 000014
【図１３】
2007327319.tif 000015
【図１４】
2007327319.tif 000016
【図１５】
2007327319.tif 000017
【図１６】
2007327319.tif 000018
【図１７】
2007327319.tif 000019
【図１８】
2007327319.tif 000020
【図１９】
2007327319.tif 000021
【図２０】
2007327319.tif 000022
【図２１】
2007327319.tif 000023
【図２２】
2007327319.tif 000024
【図２３】
2007327319.tif 000025
【図２４】
2007327319.tif 000026
【図２５】
2007327319.tif 000027
【図２６】
2007327319.tif 000028
【図２７】
2007327319.tif 000029
【図２８】
2007327319.tif 000030
【図２９】
2007327319.tif 000031
【図３０】
2007327319.tif 000032
【図３１】
2007327319.tif 000033
【図３２】
2007327319.tif 000034
【図３３】
2007327319.tif 000035
【図３４】
2007327319.tif 000036